(57)【要約】【課題】  メッセージ伝達手段としても用いることができる入退場管理システムを提供することを目的としている。【解決手段】  入退場管理システム１０は、管理対象範囲Ａ内における管理対象区画ＺへのＩＣタグ所有者の入退場を管理するシステムである。入退場管理システム１０は、所有者に関するＩＤ情報が記録されたＩＣタグ２０と、特定の所有者に関するＩＤ情報を用いて該ＩＣタグ所有者に対するメッセージ入力を行う機能を有する入力端末３０と、入力端末３０からのメッセージ入力を受けて記録する記録部４２を有したサーバ４０と、管理対象区画Ｚの入退場口１２近傍に設けられた入退場口端末５０と、を備えている。入退場口端末５０は、ＩＤ情報を読み取る読取手段５２と、メッセージを表示する表示部と、を有している。【選択図】  図１
2007004230.tif 000002
【特許請求の範囲】
【請求項１】
所有者に関するＩＤ情報が記録されたＩＣタグと、
特定のＩＣタグ所有者に関するＩＤ情報を用いて該ＩＣタグ所有者に対するメッセージ入力を行う機能を有する入力端末と、
入力端末と接続され、入力端末からのメッセージ入力を受けてメッセージを記録する記録部を有するサーバと、
サーバと接続され、管理対象範囲内における管理対象区画の入退場口近傍に設けられた入退場口端末と、を備え、
入退場口端末は、
ＩＣタグからＩＤ情報を読み取る読取手段と、
ＩＣタグから読み取ったＩＤ情報とメッセージ入力のために用いられたＩＤ情報との照合結果に基づいて記録されているメッセージを表示する表示部と、を有する
ことを特徴とする管理対象範囲内における管理対象区画へのＩＣタグ所有者の入退場を管理する入退場管理システム。
【請求項２】
サーバは、入退場口端末からＩＤ情報の読み取り結果を受け、ＩＣタグ所有者の管理対象区画への入退場情報を作成するようになっている
ことを特徴とする請求項２に記載の入退場管理システム。
【請求項３】
所有者に関するＩＤ情報が記録されたＩＣタグと、
特定のＩＣタグ所有者に関するＩＤ情報を用いて該ＩＣタグ所有者に対するメッセージ入力を行う機能を有する入力端末と、
入力端末と接続され、管理対象範囲内における管理対象区画の入退場口近傍に設けられた入退場口端末と、を備え、
入退場口端末は、
入力端末からのメッセージ入力を受けてメッセージを記録する記録部と、
ＩＣタグからＩＤ情報を読み取る読取手段と、
ＩＣタグから読み取ったＩＤ情報とメッセージ入力のために用いられたＩＤ情報との照合結果に基づいて記録されているメッセージを表示する表示部と、を有する
ことを特徴とする管理対象範囲内における管理対象区画へのＩＣタグ所有者の入退場を管理する入退場管理システム。
【請求項４】
入退場口端末は、該入退場口端末が設けられた管理対象区画へのＩＣタグ所有者の入退場情報を作成するようになっている
ことを特徴とする請求項３に記載の入退場管理システム。
【請求項５】
入力端末から、作成された入退場情報を確認することができるようになっている
ことを特徴とする請求項４に記載の入退場管理システム。
【請求項６】
管理対象区画の入退場口近傍に設けられた入退場口端末の読取手段は、ＩＣタグ所有者が該管理対象区画へ入場する際にＩＣタグからＩＤ情報を読み取る入場情報読取リーダと、該管理対象区画から退場する際にＩＣタグからＩＤ情報を読み取る退場情報読取リーダと、を有する
ことを特徴とする請求項１乃至５のいずれか一項に記載の入退場管理システム。
【請求項７】
入退場口端末の読取手段は、ＩＣタグ所有者が管理対象範囲から退出する際にＩＣタグからＩＤ情報を読み取る退出情報読取リーダをさらに有する
こと特徴とする請求項６に記載の入退場管理システム。
【請求項８】
メッセージ入力を行う機能を有した入力端末と接続されて用いられる入退場管理サーバであって、
入力端末からの、管理対象者に関するＩＤ情報を用いての該管理対象者に対するメッセージ入力を受けて、メッセージを記録する記録部を備え、
管理対象者に所有されるとともに該管理対象者に関するＩＤ情報が記録されたＩＣタグからＩＤ情報を読み取る読取手段と、ＩＣタグから読み取ったＩＤ情報とメッセージ入力のために用いられたＩＤ情報との照合結果に基づいて記録されているメッセージを表示する表示部と、を有するとともに、管理対象区画の入退場口近傍に設けられた入退場口端末と接続される
ことを特徴とする管理対象範囲内における管理対象区画への管理対象者の入退場を管理する入退場管理システムに用いられる入退場管理サーバ。
【請求項９】
メッセージ入力を行う機能を有した入力端末と接続されたサーバであって、入力端末からの、管理対象者に関するＩＤ情報を用いての該管理対象者に対するメッセージ入力を受けて、メッセージを記録する記録部を有するサーバと、接続されて用いられる入退場口端末であって、
管理対象者に所有されるとともに該管理対象者に関するＩＤ情報が記録されたＩＣタグからＩＤ情報を読み取る読取手段と、
ＩＣタグから読み取ったＩＤ情報とメッセージ入力のために用いられたＩＤ情報との照合結果に基づいて記録されているメッセージを表示する表示部と、を備え、
管理対象範囲内における管理対象区画の入退場口近傍に設けられる
ことを特徴とする管理対象範囲内における管理対象区画への管理対象者の入退場を管理する入退場管理システムに用いられる入退場口端末。
【請求項１０】
メッセージ入力を行う機能を有した入力端末と接続されて用いられる入退場口端末であって、
入力端末からの、管理対象者に関するＩＤ情報を用いての該管理対象者に対するメッセージ入力を受けて、メッセージを記録する記録部と、
管理対象者に所有されるとともに該管理対象者に関するＩＤ情報が記録されたＩＣタグからＩＤ情報を読み取る読取手段と、
ＩＣタグから読み取ったＩＤ情報とメッセージ入力のために用いられたＩＤ情報との照合結果に基づいて記録されているメッセージを表示する表示部と、を備え、
管理対象範囲内における管理対象区画の入退場口近傍に設けられる
ことを特徴とする管理対象範囲内における管理対象区画への管理対象者の入退場を管理する入退場管理システムに用いられる入退場口端末。
【請求項１１】
管理対象区画の入退場口近傍に設けられた入退場口端末の読取手段は、管理対象者が該管理対象区画へ入場する際にＩＣタグからＩＤ情報を読み取る入場情報読取リーダと、該管理対象区画から退場する際にＩＣタグからＩＤ情報を読み取る退場情報読取リーダと、を有する
ことを特徴とする請求項９または１０に記載の入退場口端末。
【請求項１２】
入退場口端末の読取手段は、管理対象者が管理対象範囲から退出する際にＩＣタグからＩＤ情報を読み取る退出情報読取リーダをさらに有する
こと特徴とする請求項１１に記載の入退場口端末。
【発明の詳細な説明】
【技術分野】
【０００１】
本発明は、ＩＣタグを用いた入退場管理システムに係り、とりわけ、ＩＣタグの所有者である管理対象者が管理対象区画へ入退場する際に、管理対象者にメッセージを伝達することができる入退場管理システムに関する。
【０００２】
また、本発明は、ＩＣタグの所有者である管理対象者が管理対象区画へ入退場する際に管理対象者にメッセージを伝達することができる入退場管理システムに用いられる入退場管理サーバおよび入退場口端末に関する。
【背景技術】
【０００３】
所有者に関する情報が記録された可搬記録媒体を用いた入退場管理システムが開発されている（例えば、特許文献１）。入退場管理システムにおいては、管理対象者の管理対象範囲内の各管理対象区画への入退場を監視することができる。したがって、管理対象者に連絡事項があれば、管理対象者がいる管理対象区画を探し出し、その管理対象区画へ連絡を取ればよい。
【０００４】
しかしながら、都度、連絡相手の居場所を探し出すのは煩雑であるし、そもそも、居場所を確認することができたとしても連絡相手が連絡を取れる状態ではない場合もある。
【０００５】
一方、連絡手段として、インターネットやＬＡＮを経由してメッセージの伝達を行う電子メールが広く利用されるに至っている。電子メールによれば、連絡者（メッセージ発信者）は連絡相手が何処にいるかにかかわらずメッセージを発信することができる。また、連絡相手は発信されたメッセージを即座に受信してメッセージ内容を確認することができる。
【０００６】
しかしながら、電子メールを用いた場合、連絡相手がメッセージの確認を怠る虞があり、メッセージの伝達が著しく遅れることもある。また、連絡相手にしてみても、常に電子メールの受信に注意を払うということは煩雑である。そもそも、電子メールによってメッセージを受け取るにはそのための端末が必要である。
【特許文献１】特開２００４−７０５４２号公報
【発明の概要】
【０００７】
今般、本発明者らは、既存の入退場管理システムに電子メールの優れた長所を組み合わせることができること、また、組み合わせた場合に既存の入退場管理システムの有用性を格段に向上させることができる、という知見を得た。本発明はこのような知見に基づくものである。
【０００８】
したがって、本発明は、メッセージ伝達手段としても用いることができる入退場管理システムを提供するものである。また、本発明は、このような入退場管理システムに用いられる入退場管理サーバおよび入退場口端末を提供するものである。
【０００９】
本発明による第１の入退場管理システムは、所有者に関するＩＤ情報が記録されたＩＣタグと、特定のＩＣタグ所有者に関するＩＤ情報を用いて該ＩＣタグ所有者に対するメッセージ入力を行う機能を有する入力端末と、入力端末と接続され、入力端末からのメッセージ入力を受けてメッセージを記録する記録部を有するサーバと、サーバと接続され、管理対象範囲内における管理対象区画の入退場口近傍に設けられた入退場口端末と、を備え、入退場口端末は、ＩＣタグからＩＤ情報を読み取る読取手段と、ＩＣタグから読み取ったＩＤ情報とメッセージ入力のために用いられたＩＤ情報との照合結果に基づいて記録されているメッセージを表示する表示部と、を有することを特徴とする。
【００１０】
本発明による第２の入退場管理システムは、所有者に関するＩＤ情報が記録されたＩＣタグと、特定のＩＣタグ所有者に関するＩＤ情報を用いて該ＩＣタグ所有者に対するメッセージ入力を行う機能を有する入力端末と、入力端末と接続され、管理対象範囲内における管理対象区画の入退場口近傍に設けられた入退場口端末と、を備え、入退場口端末は、入力端末からのメッセージ入力を受けてメッセージを記録する記録部と、ＩＣタグからＩＤ情報を読み取る読取手段と、ＩＣタグから読み取ったＩＤ情報とメッセージ入力のために用いられたＩＤ情報との照合結果に基づいて記録されているメッセージを表示する表示部と、を有することを特徴とする。
【００１１】
第１および第２の入退場管理システムにおいて、管理対象区画の入退場口近傍に設けられた入退場口端末の読取手段が、ＩＣタグ所有者が該管理対象区画へ入場する際にＩＣタグからＩＤ情報を読み取る入場情報読取リーダと、該管理対象区画から退場する際にＩＣタグからＩＤ情報を読み取る退場情報読取リーダと、を有するようにしてもよい。この場合、入退場口端末の読取手段が、ＩＣタグ所有者が管理対象範囲から退出する際にＩＣタグからＩＤ情報を読み取る退出情報読取リーダをさらに有するようにしてもよい。
【００１２】
第１の入退場管理システムにおいて、サーバが、入退場口端末からＩＤ情報の読み取り結果を受け、ＩＣタグ所有者の管理対象区画への入退場情報を作成するようにしてもよい。また、第１および第２の入退場管理システムにおいて入退場口端末は、該入退場口端末が設けられた管理対象区画へのＩＣタグ所有者の入退場情報を作成するようにしてもよい。これらの場合、入力端末から、作成された入退場情報を確認することができるようになっていることが好ましい。
【００１３】
本発明による入退場管理サーバは、メッセージ入力を行う機能を有した入力端末と接続されて用いられる入退場管理サーバであって、入力端末からの、管理対象者に関するＩＤ情報を用いての該管理対象者に対するメッセージ入力を受けて、メッセージを記録する記録部を備え、管理対象者に所有されるとともに該管理対象者に関するＩＤ情報が記録されたＩＣタグからＩＤ情報を読み取る読取手段と、ＩＣタグから読み取ったＩＤ情報とメッセージ入力のために用いられたＩＤ情報との照合結果に基づいて記録されているメッセージを表示する表示部と、を有するとともに、管理対象区画の入退場口近傍に設けられた入退場口端末と接続されることを特徴とする。
【００１４】
本発明による第１の入退場口端末は、メッセージ入力を行う機能を有した入力端末と接続されたサーバであって、入力端末からの、管理対象者に関するＩＤ情報を用いての該管理対象者に対するメッセージ入力を受けて、メッセージを記録する記録部を有するサーバと、接続されて用いられる入退場口端末であって、管理対象者に所有されるとともに該管理対象者に関するＩＤ情報が記録されたＩＣタグからＩＤ情報を読み取る読取手段と、ＩＣタグから読み取ったＩＤ情報とメッセージ入力のために用いられたＩＤ情報との照合結果に基づいて記録されているメッセージを表示する表示部と、を備え、管理対象範囲内における管理対象区画の入退場口近傍に設けられることを特徴とする。
【００１５】
本発明による第２の入退場口端末は、メッセージ入力を行う機能を有した入力端末と接続されて用いられる入退場口端末であって、入力端末からの、管理対象者に関するＩＤ情報を用いての該管理対象者に対するメッセージ入力を受けて、メッセージを記録する記録部と、管理対象者に所有されるとともに該管理対象者に関するＩＤ情報が記録されたＩＣタグからＩＤ情報を読み取る読取手段と、ＩＣタグから読み取ったＩＤ情報とメッセージ入力のために用いられたＩＤ情報との照合結果に基づいて記録されているメッセージを表示する表示部と、を備え、管理対象範囲内における管理対象区画の入退場口近傍に設けられることを特徴とする。
【００１６】
第１および第２の入退場口端末においては、管理対象区画の入退場口近傍に設けられた入退場口端末の読取手段が、管理対象者が該管理対象区画へ入場する際にＩＣタグからＩＤ情報を読み取る入場情報読取リーダと、該管理対象区画から退場する際にＩＣタグからＩＤ情報を読み取る退場情報読取リーダと、を有するようにしてもよい。この場合、入退場口端末の読取手段が、管理対象者が管理対象範囲から退出する際にＩＣタグからＩＤ情報を読み取る退出情報読取リーダをさらに有するようにしてもよい。
【発明の開示】
【発明の効果】
【００１７】
本発明による入退場管理システムによれば、管理対象者が管理対象区画へ入退場する際に、メッセージが表示されるようになっている。したがって、移動中の管理対象者にメッセージをより確実に連絡することができる。また、管理対象者はメッセージを確認するために端末を持ち歩く必要がなく、メッセージ発信者は管理対象者の所在を確認することなくメッセージを発信すればよい。
【発明を実施するための最良の形態】
【００１８】
以下、図面を参照して本発明の実施の形態について説明する。
【００１９】
図１乃至図３は本発明による入退場管理システムの一実施の形態を示す図である。このうち図１は入退場管理システムの構成を示す概略図であり、図２は入退場口端末を示す図であり、図３はＩＣタグの一例を示す平面図である。
【００２０】
図１および図２に示すように、本実施の形態において入退場管理システム１０は、所有者に関するＩＤ情報が記録されたＩＣタグ２０と、特定のＩＣタグ所有者（管理対象者とも呼ぶ）に関するＩＤ情報を用いて該ＩＣタグ所有者に対するメッセージ入力を行う機能を有する入力端末３０と、入力端末３０と接続線１８を介して接続され、入力端末３０からのメッセージ入力を受けてメッセージを記録する記録部４２を有するサーバ４０と、サーバ４０と接続線１８を介して接続されるとともに管理対象範囲Ａ内における管理対象区画Ｚの入退場口１２に設けられ、ＩＣタグ２０からＩＤ情報を読み取る読取手段５２を有した入退場口端末５０と、を備えている。接続線１８としては、後述するように信号や情報の送受信を行うことができる限りにおいて特に限定されず、電話線や光ケーブルを用いることができる。
【００２１】
このような入退場管理システム１０は、管理対象者（被管理者）であるＩＣタグ２０の所有者の、管理対象範囲Ａ内における管理対象区画Ｚへの入退場を管理するとともに、管理対象者が管理対象区画Ｚへ入退場する際に、該管理対象者宛のメッセージを表示して該管理対象者に対してメッセージを伝達するシステムである。
【００２２】
本実施の形態においては、この入退場管理システム１０を企業に適用した例となっている。また、この例においては、管理対象範囲Ａを企業が管理、または管轄、または占有等する範囲または該範囲内の一部分とし、管理対象区画Ｚを管理対象範囲Ａ内における各部屋等とし、管理対象者を企業の社員または企業への来訪者とすることができる。さらに、図２に示すように、図示する例においては、管理対象区画Ｚの入退場口１２にオートロック式の扉１４が設けられており、管理対象区画Ｚ内への自由な入場が制限されている。扉１４の鍵１６は入退場口端末５０を介してサーバ４０に接続されており、サーバ４０からの信号を受けた場合に鍵１６が開錠されるようになっている。
【００２３】
まず、ＩＣタグ２０について図３を用いて説明する。
【００２４】
図３に示すように、ＩＣタグ２０は、非導電性材料からなる基材２２と、基材２２上に渦巻き状に形成され一対の接点２４ａを有するアンテナ回路２４と、アンテナ回路２４の異なる接点２４ａにそれぞれ接続された一対の電極２８ａを有するＩＣチップ２８と、を有している。ＩＣチップ２８の一対の電極２８ａは、それぞれ導電性の拡大電極２６を介してアンテナ回路２４の接点２４ａに導通（電気的に接続）されている。なお、拡大電極２６は、アンテナ回路２４に対し接点２４ａのみで導通しており、アンテナ回路２４の接点２４ａ以外の部分とは絶縁されている。
【００２５】
基材２２は、例えばカード状の、紙やＰＥＴ等からなり、アンテナ回路２４は、基材２２に対して導電性インキを印刷することや、アルミニウム等の箔を転写すること等により形成されている。
【００２６】
このようなＩＣタグ２０によれば、ＩＣタグ２０と非接触で情報の送受信を行うことができるリーダ・ライタを用いることにより、アンテナ回路２４をアンテナとして機能させ、非接触状態でＩＣチップ２８に記録された情報を読み取ること、およびＩＣチップ２８に新たな情報を記録することができる。なお、ここでいう「非接触」とは電気的に接触していないことを意味し、ＩＣタグとリーダ・ライタが物理的に非接触であることを意味するのではない。したがって、リーダ・ライタ上にＩＣタグを載置した状態で情報の送受信を行うことも、非接触状態での情報の送受信に該当する。
【００２７】
なお、ＩＣタグ２０はこのような態様に限られず、情報の送受信のために用いられる電磁波の種類によっては、図３におけるＩＣチップ２８と、ＩＣチップ２８の異なる電極２８ａにそれぞれ電気的に接続された一対の拡大電極２６と、からＩＣタグ２０を構成することもできる。このようなＩＣタグ２０においては、拡大電極２６がアンテナとして機能し、リーダ・ライタによってＩＣチップ２８に記録された情報を読み取ったり、あるいはＩＣチップ２８に新たな情報を記録させたりすることができる。
【００２８】
ＩＣタグ２０のＩＣチップ２８には、管理対象者（被管理者）である該ＩＣタグ２０の所有者に関するＩＤ情報、すなわち、所有者を特定することができる情報が少なくとも記録されている。ＩＤ情報には、氏名だけでなく、社員番号、氏名をコード化したもの、並びに、本システムにおける利用の目的で各人に割り振られた固有の番号や、ＩＣタグ毎に割り振られた固有の番号（ＩＣタグ番号とも呼ぶ）等も含まれる。なお、各人に割り振られた番号やＩＣタグ番号等の本システム特有のＩＤ情報のみがＩＣタグ２０に記録されている場合には、該番号はＩＣタグ２０の所有者である管理対象者と関連付けられてサーバ４０に登録され、これにより、これらの番号から所有者を特定することができるようになる。
【００２９】
本実施の形態においては、各ＩＣタグ２０にＩＣタグ番号がＩＤ情報として記録されており、サーバ４０には各ＩＣタグ番号が、該ＩＣタグを所有する管理対象者の氏名および社員番号と関連付けられて記録されている。
【００３０】
次に、入力端末３０について説明する。
【００３１】
本実施の形態において、入力端末３０は企業内に設けられた汎用パソコンからなっている。この汎用パソンコンには、メッセージ入力用ソフトがインストールされている。そして、このメッセージ入力用ソフトが起動されると、入力端末３０から、特定の管理対象者に関するＩＤ情報を入力するとともに該ＩＣタグ所有者に対するメッセージを入力することができるようになっている。入力端末３０から入力された特定の管理対象者に対するメッセージ内容は、該管理対象者を特定することができるＩＤ情報（以下、受信者ＩＤ情報とも呼ぶ）とともにサーバ４０に送信される。サーバ４０に送信されたメッセージは、メッセージ番号を自動的に割り振られ、記録部４２に記録されるようになっている。
【００３２】
また、メッセージ内容および受信者ＩＤ情報のサーバ４０への送信にともなって、該メッセージを入力した管理対象者のＩＤ情報（以下、送信者ＩＤ情報とも呼ぶ）も、該メッセージに関連付けられてサーバ４０へ送信される。サーバ４０に送信された送信者ＩＤ情報はメッセージ内容と関連付けて記録部４２に記憶されるようになっている。
【００３３】
本実施の形態において、送信者ＩＤ情報は、入力者本人によってメッセージ入力時に併せて入力される。しかしながら、この態様に限定されるものではなく、入力端末３０へのログイン情報に基づいて自動的に入力されるようにしてもよい。
【００３４】
なお、入力端末３０である汎用パソコンは、例えば、企業内の社員に対して１台ずつ割り当てられるパソコンであってもよく、当然にこの場合、入力端末３０にはワープロや表計算等の他のアプリケーションソフトがインストールされていてもよい。また、本実施の形態において、入力端末３０が汎用パソコンからなる例を示したが、これに限られず、入力端末３０がメッセージ入力用の専用端末であってもよい。
【００３５】
次に、入退場口端末５０について説明する。図２に示すように、本実施の形態において、入退場口端末５０は、入退場口１２に設けられた扉１４の近傍であって管理対象区画Ｚの外側（管理対象区画Ｚを区画する壁Ｗの外側）に設けられている。
【００３６】
入退場口端末５０は、ＩＣタグ２０からＩＤ情報を読み取る読取手段５２と、ＩＣタグ２０から読み取ったＩＤ情報とメッセージ入力のために用いられたＩＤ情報との照合結果に基づいて記録部４２に記録されているメッセージを表示する表示部５４と、を有している。本実施の形態において、読取手段５２は、それぞれ接触または接近させられたＩＣタグ２０から記録されているＩＤ情報を読み取ることができる、入場情報読取リーダ５２ａ、退場情報読取リーダ５２ｂ、および退出情報読取リーダ５２ｃの３つのリーダを有している。管理対象区画Ｚの入退場口１２を通過する管理対象者は、管理対象区画Ｚへ入場する際にはＩＣタグ２０を入場情報読取リーダ５２ａに接触または接近させ、管理対象区画Ｚから退場する際にはＩＣタグ２０を退場情報読取リーダ５２ｂに接触または接近させ、管理対象範囲Ａから退出しようとする際にはＩＣタグ２０を退出情報読取リーダ５２ｃに接触または接近させる。
【００３７】
読取手段５２によって読み取られたＩＤ情報は、サーバ４０に送信されるようになっている。
【００３８】
次にサーバ４０について説明する。
【００３９】
図７はサーバ４０の記録部４２の情報記録構造を説明する図である。図７に示されているように、記録部４２は、管理対象者情報記録部４２ａ、ＩＣタグ情報記録部４２ｂ、入退場履歴記録部４２ｃ、メッセージ記録部４２ｄ、およびメッセージ宛先記録部４２ｅを有している。
【００４０】
このうち管理対象者情報記録部４２ａには、管理対象者の氏名が社員番号および所属部署名と関連付けられて登録されている。入社または退社する社員が生じた場合には、都度、管理対象者情報記録部４２ａの情報がシステム管理者等によって更新される。ＩＣタグ情報記録部４２ｂには、管理対象者によって所有されるＩＣタグ２０に付随する固有のＩＣタグ番号（ＩＤ情報）が、該ＩＣタグ所有者の社員番号と関連付けられて登録されている。したがって、管理対象者情報記録部４２ａとＩＣタグ情報記録部４２ｂとに記録されている情報を照らし合わせることにより、社員番号を介して、ＩＣタグ２０の所有者の氏名および所属部署名と、該ＩＣタグ２０に記録されているＩＣタグ番号との関連付けを行うことができる。
【００４１】
なお、企業への来訪者は、当然に、社員番号を有していない。来訪者には、企業の受付等でＩＣタグ２０が貸与される。貸与されたＩＣタグ２０に付されたＩＣタグ番号は、システム利用上の模擬社員番号と関連付けられてＩＣタグ情報記録部４２ｂに登録されている。また、システム管理者等は、ＩＣタグ２０が来訪者に貸与される度に、来訪者の氏名および／または来訪者が所属する企業名等を模擬社員番号と関連付けて管理対象者情報記録部４２ａに更新（登録・削除・再登録）する。これにより、来訪者も社員と同様に入退場管理システム１０を利用することができるようになる。
【００４２】
ところで、上述したように、サーバ４０は、入退場口端末５０の読取手段５２の各リーダ５２ａ，５２ｂ，５２ｃがＩＣタグ２０から読み取ったＩＣタグ番号（ＩＤ情報）を、入退場口端末５０から受けるようになっている。このとき、サーバ４０は、いずれの入退場口端末５０の、いずれのリーダ５２ａ，５２ｂ，５２ｃが読み取ったかを認識することができるようになっている。
【００４３】
入場情報読取リーダ５２ａによって読み取られたＩＤ情報を受信した場合、サーバ４０は、ＩＣタグ情報記録部４２ｂに登録された情報に基づき、受信したＩＣタグ番号が登録されているものであるか否かを判断する。ＩＤ情報が登録されているものであった場合、サーバ４０は入退場口端末５０を介して扉１４の鍵１６に信号を送り、鍵１６を開錠するようになっている。また、サーバ４０は送信されてきた管理対象者の入退場情報を記録部４２の入退場履歴記録部４２ｃに記録するようになっている。図７に示されているように、入退場履歴記録部４２ｃに記録されるのは、管理対象者の社員番号、入退場時刻、管理対象区画名、および入場・退場・退出情報である。また、本実施の形態においては、入力端末３０から入退場履歴記録部４２ｃにアクセスし、入退場履歴記録部４２ｃに記録されている入退場情報を閲覧することができるようになっている。
【００４４】
また、上述したように、入力端末３０から入力されたメッセージ内容は、受信者ＩＤ情報および送信者ＩＤ情報と関連付けられてサーバ４０に送信されてくる。サーバ４０は各メッセージに対してメッセージ番号を自動的に割り振るとともに、メッセージ記録部４２ｄおよびメッセージ宛先記録部４２ｅに所定の情報を記録するようになっている。図７に示すように、メッセージ記録部４２ｄには、メッセージ番号、メッセージ入力者の社員番号、およびメッセージ内容が記録される。一方、メッセージ宛先記録部４２ｅには、メッセージ番号、メッセージ宛先人の社員番号、および既読・未読情報が記録される。本実施の形態においては、システム管理者等の限定された者だけが、メッセージ記録部４２ｄおよびメッセージ宛先記録部４２ｅに記録された情報にアクセスすることができるようになっている。
【００４５】
サーバ４０は、入退場口端末５０からＩＤ情報を受信した場合、該ＩＤ情報によって特定される管理対象者へのメッセージを記録部４２から検索するようになっている。そして、該管理対象者宛のメッセージが記録部４２に記録されていれば、該メッセージのすべてを、ＩＤ情報を読み取った入退場口端末５０に送信するようになっている。すなわち、入退場口端末５０に提示されたＩＣタグ２０の所有者にあてたメッセージが記録部４２に記録されていれば、そのメッセージが入退場口端末５０に送信されるようになっている。この場合、送信されたメッセージが、ＩＣタグ番号の送信先である入退場口端末５０の表示部５４に表示されるようになっている。
【００４６】
次にこのような構成からなる本実施の形態の作用について説明する。
【００４７】
まず、管理対象者が管理対象範囲Ａ内における管理対象区画Ｚへ入退場する場合、あるいは管理対象範囲Ａから退出する場合、管理対象者は、管理対象区画Ｚの入退場口１２近傍に設けられた入退場口端末５０の読取手段５２にＩＣタグ２０を接触、あるいは接近させる。このとき、管理対象区画Ｚへ入場する場合には入場情報読取リーダ５２ａにＩＣタグ２０を接触または接近させ、管理対象区画Ｚから退場する場合には退場情報読取リーダ５２ｂにＩＣタグ２０を接触または接近させ、管理対象範囲Ａから退出する場合、例えば、帰宅する場合には退出情報読取リーダ５２ｃにＩＣタグ２０を接触または接近させる。
【００４８】
ＩＣタグ２０が読取手段５２に接触または接近させられると、読取手段５２は記録されているＩＣタグ番号をＩＣタグ２０から読み取る。読取手段５２に読み取られたＩＣタグ番号（ＩＤ情報）は、サーバ４０に送信される。入場情報読取リーダ５２ａによって読み取られたＩＣタグ番号が送信されてきた場合、サーバ４０は、ＩＣタグ情報記録部４２ｂの情報に基づき、送信されてきたＩＣタグ番号が登録されているものであるか否かを判断する。読み取られたＩＣタグ番号が登録されているものであれば、入退場口端末５０を介して入退場口１２の扉１４に信号を送信して鍵１６を開錠する。このようにして、登録されたＩＣタグ番号が記録されているＩＣタグ２０の所有者のみが管理対象区画Ｚへ入場することができる。
【００４９】
また、サーバ４０は、ＩＣタグ情報記録部４２ｂの情報に基づき、送信されてきたＩＣタグ番号に対応する管理対象者の社員番号を検索する。さらに、サーバ４０は、管理対象者情報記録部４２ａの情報に基づき、検索された社員番号に対応する管理対象者の氏名を検索する。この検索結果に基づき、サーバ４０はＩＣタグ２０の所有者である管理対象者の社員番号を入退場時刻とともに記録部４２の入退場履歴記録部４２ｃに記録する。また、サーバ４０は、いずれの入退場口端末５０のいずれのリーダ５２ａ，５２ｂ，５２ｃがＩＣタグ２０からＩＤ情報を読み取ったかを認識することができるようになっており、氏名および入退場時刻と関連させて管理対象区画名および入場・退場・退出情報をも入退場履歴記録部４２ｃに記録する。すなわち、入退場口端末５０からＩＣタグ番号が送信されてくる度に、誰（社員番号）が、いつ（入退場時刻）、どこ（管理対象区画名）を、入場または退場（入場・退場・退出情報）したか、あるいは誰（社員番号）が、いつ（入退場時刻）、どこ（管理対象区画名）を経由して管理対象範囲Ａから退出（入場・退場・退出情報）したかを入退場履歴記録部４２ｃに記録する。
【００５０】
入退場履歴記録部４２ｃに記録された入退場情報を適宜処理（並べ替え、集計等）することにより、特定の管理対象者の移動履歴、特定の管理対象区画Ｚへの入退場履歴、各管理対象者のその時点での居場所、各管理対象区画Ｚのその時点での使用状況等を知ることができる。また、本実施の形態においては、この入退場履歴記録部４２ｃに入力端末３０からアクセスすることができるようになっている。すなわち、管理対象者である社員は、汎用パソコン（入力端末２０）からこれらの有用な情報を容易に得ることができるのである。
【００５１】
なお、この際、入退場履歴記録部４２ｃに記録された社員番号に対応する氏名および所属部署名も、閲覧者に表示されるようになっていることが好ましい。氏名および所属部署名は、管理対象者情報記録部４２ａの情報に基づき、社員番号から検索されることによって得られる。
【００５２】
次に、メッセージの入力およびメッセージ送信のプロセスについて説明する。
【００５３】
特定の管理対象者に対してメッセージを伝達したい場合、企業内の社員は、入力端末３０においてメッセージ入力用ソフトを起動させ、入力端末３０から送信先となる管理対象者に関するＩＤ情報（受信者ＩＤ情報）および送信者本人に関するＩＤ情報（送信者ＩＤ情報）とともにメッセージ内容を入力する。このようにして入力されたメッセージ、受信者ＩＤ情報、および送信者ＩＤ情報は、互いに関連付けられてサーバ４０に送信される。なお、本実施の形態において、送信者によって入力される受信者ＩＤ情報および送信者ＩＤ情報は、それぞれ受信者の氏名および送信者の氏名である。
【００５４】
メッセージが、宛先人の氏名（受信者ＩＤ情報）および送信者の氏名（送信者ＩＤ情報）とともにサーバ４０に送信されると、サーバ４０は固有のメッセージ番号を割り振るとともに、記録部４０のメッセージ記録部４２ｄとメッセージ宛先記録部４２ｅに所定の情報を記録する。
【００５５】
メッセージ記録部４２ｄには、メッセージ番号、送信者の社員番号、およびメッセージ内容が互いに関連付けられて記録される。このうち送信者の社員番号は、管理対象者情報記録部４２ａの情報に基づき、サーバ４０に送信されてきた送信者の氏名（送信者ＩＤ情報）に対応する社員番号を検索することによって得られる。
【００５６】
一方、メッセージ宛先記録部４２ｅには、メッセージ番号、メッセージ宛先人の社員番号、および既読・未読情報が互いに関連付けられて記録される。このうち、メッセージ宛先人の社員番号は、管理対象者情報記録部４２ａの情報に基づき、サーバ４０に送信されてきた受信者の氏名（受信者ＩＤ情報）に対応する社員番号を検索することによって得られる。また、既読・未読情報とは、メッセージが既に宛先人に向けて送信されているか否かを記録するものであり、この時点では、当然に、「未読」として記録される。
【００５７】
なお、入力端末３０から複数人に向けてメッセージを入力することができるようになっている。このようなメッセージに対しては１つのメッセージ番号が割り振られ、メッセージ記録部４２ｄには１つの情報が記録される。一方、メッセージ宛先記録部４２ｅには、宛先人毎に情報が記録される。すなわち、１つのメッセージ番号に対して、宛先人の人数分の情報が記録される。さらに、複数人に向けてメッセージを入力端末３０から入力する場合には、受信者ＩＤ情報として所属部署名を入力することもできる。この場合、管理対象者情報記録部４２ａの情報に基づき、該所属部署に所属する全宛先人の社員番号が検索され、メッセージ宛先記録部４２ｅに社員番号毎の情報が記録される。
【００５８】
管理対象者が管理対象区画Ｚを入退場する際、上述したように、読取手段５２によってＩＣタグ２０から読み取られたＩＣタグ番号がサーバ４０に送信される。送信されてきたＩＣタグ番号は対応する社員番号に変換され、この社員番号に対応する情報がメッセージ宛先記録部４２ｅに記録されていないか検索される。具体的には、ＩＣタグ２０から読み取られたＩＣタグ番号に対応する社員番号を、メッセージ宛先記録部４２ｅにメッセージ番号とともに記録されている宛先人の社員番号と照合していく。
【００５９】
該当する社員番号がメッセージ宛先記録部４２ｅに記録されている場合、サーバ４０によって、関連付けられて記録されている既読・未読情報が「既読」および「未読」のいずれとして記録されているかが確認される。既読・未読情報が「既読」として記録されている場合には、メッセージ内容は送信されない。一方、メッセージ宛先記録部４２ｅに既読・未読情報が「未読」として記録されている場合には、メッセージ記録部４２ｄに該メッセージ番号と関連付けて記録されているメッセージ内容が送信者の情報とともに、ＩＣタグ２０からＩＣタグ番号を読み取った入退場口端末５０に送信されることになる。また、同時に、メッセージ宛先記録部４２ｅに記録されている既読・未読情報が「未読」から「既読」へと更新される。
【００６０】
なお、入退場口端末３０にメッセージ内容とともに送信される送信者の情報は、送信者の氏名である。メッセージ内容とともにメッセージ記録部４２ｄに記録されている送信者の社員番号に対応する氏名を、管理対象者情報記録部４２ａの情報に基づいて検索することによって、送信者の氏名が得られ、これが入退場口端末３０に送信される。
【００６１】
入退場口端末５０にサーバ４０からメッセージ内容および送信者の氏名が送信されると、表示部５４にメッセージ内容および送信者の氏名が表示される。これにより、特定の管理対象者に向けたメッセージを、該管理対象者が管理対象区画Ｚへ入退場する際に確認することができる。すなわち、該管理対象者は、意識しなくとも、管理対象範囲Ａから退出するまでにメッセージを必ず確認することができるのである。
【００６２】
以上のように本実施の形態によれば、管理対象区画Ｚへ入退場する際におけるＩＣタグ２０からのＩＤ情報の読み取り結果を、メッセージを受信する際のＩＤ識別に利用するようになっている。したがって、管理対象者が管理対象区画Ｚへ入退場する際に、該管理対象者に対するメッセージがあればそのメッセージが表示される。このため、必然的に生じ得る管理対象区画Ｚへの入退場の際に、管理対象者がメッセージを受信することになり、これにより、少なくとも管理対象者が管理対象範囲Ａから退出するまでに、該管理対象者にメッセージを伝達することができる。また、メッセージの発信者からすると、連絡相手である管理対象者の居場所を探し出すことなく、入力端末（汎用パソコン）３０からメッセージを入力しさえすれば、メッセージを受けることを予期していない該管理対象者にメッセージを伝達することができる。さらに、メッセージの受信者である管理対象者からすれば、管理対象範囲Ａ内を移動したり、あるいは、自分が所属していないまたは通常所在していない管理対象区画Ｚに出張したりしている場合であって、かつ、メッセージ受信用の端末を持ち歩いていない場合であっても、メッセージを受信してその内容を確認することができる。さらに、入退場管理システム１０を設置した企業への来訪者に対しても、メッセージを伝達することができる。
【００６３】
また、本実施の形態によれば、サーバ４０は、入退場口端末５０からＩＤ情報の読み取り結果を受け、各管理対象者の各管理対象区画Ｚへの入退場情報を作成して記録部４２に記録するようになっており、また、作成された入退場情報を入力端末３０から確認することができるようになっている。したがって、入力端末３０を操作することができる者は、特定の管理対象者の移動履歴、特定の管理対象区画Ｚへの入退場履歴、各管理対象者のその時点での居場所、各管理対象区画Ｚにおける管理対象者のその時点での有無（すなわち、各管理対象区画Ｚのその時点での使用状況）等を容易に確認することができる。このことは、セキュリティー上の観点からも非常に好ましい。
【００６４】
さらに、本実施の形態によれば、入退場口端末５０の読取手段５２が入場情報読取リーダ５２ａと、退場情報読取リーダ５２ｂと、退出情報読取リーダ５２ｃと、を有しており、サーバ４０は、いずれのリーダがＩＤ情報を読み取ったかに基づき、管理対象者が管理対象区画Ｚに入場したか、あるいは管理対象区画Ｚから退場したか、あるいは管理対象範囲Ａから退出したかを識別することができる。したがって、サーバ４０は、入退場口端末５０の読取手段５２がＩＤ情報を読み取るたびに、都度正確な入退場情報を作成することができる。
【００６５】
なお、本実施の形態においては、入退場管理システム１０を企業に適用し、管理対象範囲Ａを企業が管理、または管轄、または占有等する範囲あるいは該範囲の一部分とし、管理対象区画Ｚを管理対象範囲Ａ内における各部屋等とし、管理対象者を企業の社員または企業への来訪者とした例を示したが、これに限られない。例えば、入退場管理システム１０を遊戯施設に適用し、管理対象範囲Ａを遊戯施設の入場ゲート内とし、管理対象区画Ｚを遊戯施設内に設けられた各アトラクション等とし、管理対象者を遊戯施設への来訪者とすることもできる。
【００６６】
また、本実施の形態において、入退場口１２にオートロック式の鍵１６を有する扉１４が設けられ、登録されたＩＤ情報が記録されているＩＣタグ２０を所有していない者の管理対象区画Ｚへの自由な入場が制限されている例を示したが、これに限られない。例えば、管理対象者が登録されたＩＤ情報を記録されたＩＣタグ２０を有していなければ、管理対象区画Ｚからの自由な退場も制限されるようにしてもよい。この場合、図２に示す入退場口端末５０とは異なり、入退場口端末５０の退場情報読取リーダ５２ｂを管理対象区画Ｚの内側（管理対象区画Ｚを区画する壁Ｗの内側）に設けなければならず、また、表示部５４を管理対象区画Ｚの外側と内側との両方に設けることが好ましい。その一方で、本実施の形態における扉１４の鍵１６、さらには扉１４自体も必須ではなく、省略することもできる。
【００６７】
さらに、本実施の形態においては、ＩＤ情報として、ＩＣタグ番号、社員番号、氏名の３種類が用いられた例を示したが、これに限られず、適宜変更することができる。また、本実施の形態においては、サーバ４０の記録部４２内において社員番号を用いて各管理対象者を特定するようにしており、同姓同名の複数の管理対象者をも区別することができるといった利点を有している。しかしながら、このような態様に限られるものではない。
【００６８】
さらに、本実施の形態において、入退場口１２にオートロック式の鍵１６を有する扉１４が設けられ、この鍵１６は、入退場口端末５０の読取手段５２が読み取ったＩＤ情報がサーバ４０に登録されていることを条件として、開錠される例を示したが、これに限られない。読取手段５２が読み取ったＩＤ情報に対応する管理対象者に対してのメッセージがある場合には、該管理対象者がメッセージ内容を確認したと判断されることをさらなる条件として、鍵１６が開錠されるようにしてもよい。この場合、施錠された入退場口１２から管理対象区画Ｚへ入場するには、管理対象者が自分宛のメッセージを確認することが条件となるので、メッセージの伝達をより確実に行うことができる。なお、管理対象者がメッセージ内容を確認したか否かを判断することができるようにするには、入退場口端末５０の表示部５４をタッチパネルディスプレイにする等して、メッセージを確認した場合に入力する確認ボタンを入退場口端末５０に設け、この確認ボタンが入力されたか否かを入退場口端末５０またはサーバ４０によって識別することができるようにすればよい。
【００６９】
さらに、本実施の形態において、記録部４２に記録されたメッセージを入退場口端末５０に一度送信すると、該メッセージに付随して記録されている既読・未読情報が「未読」から「既読」に変更され、「既読」として記録されたメッセージがその後送信されないようにした例を示したが、これに限られない。例えば、メッセージ入力者が重要と考えるメッセージについては、入退場口端末５０に２度以上送信されるようにしてもよい。他の変形例としては、一度送信されたメッセージをサーバ４０の記録部４２（メッセージ記録部４２ｄおよびメッセージ宛先記録部４２ｅ）から削除するようにしてもよい。この場合、記録部４２（メッセージ宛先記録部４２ｅ）に既読・未読情報を記録する必要がなくなる。別の変形例としては、受信者である管理対象者がメッセージ内容を確認したと判断されることを条件として、メッセージを、都度、削除していくようにしてもよい。さらなる変形例としては、記録部４０に表示済メッセージ記録部をさらに設け、入退場口端末５０に一度送信されて表示部５４に表示されたメッセージを、未だ表示されていないメッセージと区別して表示済メッセージとして記録部４２に記録するとともに、メッセージ記録部４２ｄおよびメッセージ宛先記録部４２ｅに記録されている該メッセージに関連する情報を削除するようにしてもよい。この場合も、記録部４２（メッセージ宛先記録部４２ｅ）に既読・未読情報を記録する必要がなくなる。
【００７０】
さらに、本実施の形態において、入退場口端末５０の読取手段５２が、入場情報読取リーダ５２ａ、退場情報読取リーダ５２ｂ、および退出情報読取リーダ５２ｃの計３つのリーダを有している例を示したが、これに限られない。例えば、退出情報読取リーダ５２ｃを省略し、入退場管理システム１０が退出情報を把握しないようにしてもよい。あるいは、読取手段５２が１つのリーダのみを有するようにしてもよい。
【００７１】
さらには、管理対象区画Ｚの入退場口１２近傍に設けられた入退場口端末５０に加えて、管理対象範囲Ａの入退場口（入退場ゲート）１３に入退場口端末５０ａを設け、この入退場口端末５０ａのみに退出情報読取リーダ５２ｃを設けるようにしてもよい。この変形例においては、管理対象区画Ｚの入退場口１２近傍に設けられた入退場口端末５０の退出情報読取リーダ５２ｃが不要となる。なお、図４はこのような変形例を示す概略図であり、図４に示す入退場管理システム１０は図１乃至図３を用いて説明した実施の形態と他の部分において略同一である。したがって、図４において、図１乃至図３に示す実施の形態と同一部分については同一符号を付すとともに、重複する詳細な説明を省略する。
【００７２】
さらに、本実施の形態において、入力端末３０に予めインストールされたメッセージ入力用ソフトを用いてメッセージ入力を行う例を示したが、これに限られず、種々変更された態様により、入力端末３０からメッセージ入力を行うことができるようにしてもよい。例えば、サーバ４０が、メッセージ入力用ソフトに代わるアプリケーションを稼働させるホームページを運営し、入力端末３０からこのホームページにアクセスして入退場口端末５０に送信されるメッセージを入力するようにしてもよい。
【００７３】
さらに、本実施の形態において、入力端末３０が汎用パソコンからなる例を示したが、入退場口端末５０も同様に汎用パソコンを元にして構成するようにしてもよい。このようにして構成された入退場口端末５０の一例を図５に示す。図５に示す入退場口端末５０は、ディスプレイ（表示部）５４とキーボード５６とを有した汎用パソコンと、汎用パソコンに接続された読取手段５２と、から構成されている。
【００７４】
汎用パソコンからなる入退場口端末５０はある程度の情報処理能力を有するとともに、入力手段としてのキーボード５６を有していることから、メッセージ入力を行う機能を有するように構成することができる。この場合、入退場口端末５０を入力端末３０としても用いることができるようになる。
【００７５】
また、汎用パソコンからなる入退場口端末５０は、通常、記憶装置（端末記録部とも呼ぶ）５８を有している。したがって、入退場口端末５０が、読取手段５２によってＩＣタグ２０から読み取ったＩＤ情報に基づき、対応する管理対象区画Ｚへの管理対象者の入退場情報を作成し、この入退場情報を端末記録部５８に記録するようにすることもできる。この場合、入力端末３０から、入退場口端末５０の端末記録部５８に記録された入退場情報を確認することができるようになっていることが好ましい。
【００７６】
さらに、本実施の形態において、入退場管理システム１０は単一のサーバ４０を中心として構成され、いわゆる集中管理型的なシステムとした例を示したが、これに限られず、サーバ４０によって行われる処理の一部またはすべてを、入退場口端末５０や入力端末３０が行うようにしてもよい。例えば、入退場口端末５０の情報処理能力および端末記録部５８の記録容量を増強し、入力端末３０で特定のＩＤ情報とともに入力されたメッセージ内容の記録、メッセージとともに記録されたＩＤ情報と読取手段５２で読み取ったＩＤ情報との照合、鍵の開錠作業等の一部またはすべてを、入退場口端末５０で行うようにしてもよい。さらには、複数のサーバ４０を設けて各サーバが処理を分散して行うようにしてもよい。複数のサーバ４０を設ける場合には、主たるサーバと、入退場口端末５０および入力端末３０と主たるサーバとの間に設けられた従たるサーバと、に区別するようにすることもできる。
【００７７】
このような変形例の一例を図６に示す。図６に示す入退場管理システム１０はサーバ４０を備えておらず、いわゆる分散管理型的なシステムとして構成されている。図６に示す入退場管理システム１０は、この点において、図１乃至図３を用いて説明した実施の形態と相違し、他の部分においては略同一である。したがって、図６において、図１乃至図３に示す実施の形態と同一部分については同一符号を付すとともに、重複する詳細な説明を省略する。
【００７８】
図６に示す入退場管理システム１０は、所有者に関するＩＤ情報が記録されたＩＣタグ２０と、特定の所有者に関するＩＤ情報を用いて該ＩＣタグ所有者に対するメッセージ入力を行う機能を有する入力端末３０と、入力端末３０と接続され、管理対象範囲Ａ内における管理対象区画Ｚの入退場口１２近傍に設けられた入退場口端末５０と、を備えている。また、入退場口端末５０は、入力端末３０からのメッセージ入力を受けてメッセージを記録する端末記録部５８と、ＩＣタグ２０からＩＤ情報を読み取る読取手段５２と、ＩＣタグ２０から読み取ったＩＤ情報とメッセージ入力のために用いられたＩＤ情報との照合結果に基づいて記録部４２に記録されているメッセージを表示する表示部と、を有している。
【００７９】
このような入退場管理システム１０においては、入力端末３０から入力されたメッセージはすべての入退場口端末５０に送信されて、すべての入退場口端末５０の端末記録部５８に記録される。入退場口端末５０がＩＣタグ２０からＩＤ情報を読み取ると、入退場口端末５０は、読み取ったＩＤ情報に該当するＩＤ情報とともに記録されたメッセージを検索する。該当するＩＤ情報とともに記録されたメッセージがあれば、入退場口端末５０はそのメッセージを表示部５４に表示するとともに、他の入退場口端末５０にメッセージを表示した旨を送信する。これにより、他の入退場口端末５０は該メッセージを削除し、あるいは未だ表示部５４に表示されていないメッセージと区別して再記録する。
【００８０】
また、この入退場管理システム１０において、各入退場口端末５０は、対応する管理対象区画Ｚへの管理対象者の入退場情報を作成して記録する。また、各入退場口端末５０が、該入退場口端末５０の読取手段５２が読み取ったＩＤ情報を他の入退場口端末５０に送信しあい、各入退場口端末５０が全管理対象区画Ｚへの管理対象者の入退場情報をそれぞれ作成して記録するようにすることができる。
【００８１】
さらには、図６に示す入退場管理システム１０が備える複数の入退場口端末５０のうちのいずれかを親機として、情報等の記録、照合作業、および開錠作業等の一部またはすべてを親機である入場口端末５０が担当するようにすることもできる。
【００８２】
以上のように、入退場管理システム１０の一実施の形態をいくつかの変形例とともに説明してきたが、当然に、複数の変形例を適宜組み合わせて用いることも可能である。
【図面の簡単な説明】
【００８３】
【図１】本発明による入退場管理システムの一実施の形態の構成を示す概略図。
【図２】入退場口端末を示す図。
【図３】ＩＣタグの一例を示す平面図。
【図４】入退場管理システムの構成の一変形例を示す概略図。
【図５】入退場口端末の一変形例を示す図。
【図６】入退場管理システムの構成の一変形例を示す概略図。
【図７】サーバの記録部の情報記録構造を説明する図。
【符号の説明】
【００８４】
１０  入退場管理システム
１２  入退場口
２０  ＩＣタグ
３０  入力端末
４０  サーバ
４２  記録部
５０  入退場口端末
５２  読取手段
５４  表示部
５２ａ  入場情報読取リーダ
５２ｂ  退場情報読取リーダ
５２ｃ  退出情報読取リーダ
５４  表示部
Ａ  管理対象範囲
Ｚ  管理対象区画
【図１】
2007004230.tif 000003
【図２】
2007004230.tif 000004
【図３】
2007004230.tif 000005
【図４】
2007004230.tif 000006
【図５】
2007004230.tif 000007
【図６】
2007004230.tif 000008
【図７】
2007004230.tif 000009